(57)【要約】【課題】簡単かつ安価な構成により、表示手段の複数の表示領域それぞれに表示すべきカメラの割り付け登録を行う初期登録を行えるようにする。【解決手段】ディスプレイ４の各表示領域Ｄ１〜Ｄ３それぞれに表示すべきカメラの割り付け登録を行う初期登録段階において、制御手段８により、各表示領域Ｄ１〜Ｄ３それぞれの割り付け順序を予め設定し、各カメラ２ａ，２，２ｃに設けられた操作スイッチ３の長押し等の所定操作による無線の識別信号が受信手段７により受信されたときに、１番目に割り付けられた第１表示領域Ｄ１から順に、受信手段７により受信されている識別信号の送信元である当該カメラを割り付け登録する。【選択図】図１
2016072840.tif 000002
【特許請求の範囲】
【請求項１】
車室内に設置された表示手段の表示画面を分割した複数の表示領域それぞれに、複数の撮影画像を表示する車両用画像表示装置であって、
車体の複数個所に配設された電源ケーブルに接続されて車体に取り付けられて周辺を撮影し、撮影した画像信号を無線形式で送信するカメラと、
前記各カメラそれぞれに設けられ、予め定められた所定操作によって当該カメラを識別するための無線形式の識別信号を当該カメラから送信させる操作スイッチと、
前記各カメラからの前記識別信号および画像信号を受信する受信手段と、
前記表示手段、前記カメラおよび前記受信手段を制御する制御手段とを備え、
前記制御手段は、
前記表示手段の前記各表示領域それぞれに表示すべき前記カメラの割り付け登録を行う初期登録段階において、前記各表示領域それぞれの割り付け順序を予め設定し、前記各カメラの前記操作スイッチの前記所定操作による前記識別信号が前記受信手段により受信されたときに、１番目に割り付けられた前記表示領域から順に、前記受信手段により受信されている前記識別信号の送信元である当該カメラを割り付け登録し、
割り付け登録後は、前記受信手段により受信される前記各カメラからの画像信号に基づく画像を、前記各カメラそれぞれに割り付けた前記表示領域に表示させる
ことを特徴とする車両用画像表示装置。
【発明の詳細な説明】
【技術分野】
【０００１】
本発明は、車室内に設置された表示手段の表示画面を分割した複数の表示領域それぞれに、複数の撮影画像を表示する車両用画像表示装置に関する。
【背景技術】
【０００２】
従来、限られた画面内で車両周辺を複数のカメラによって撮影した画像を表示する車両用画像表示装置として、例えば特許文献１に記載のものがある。具体的には、車両の周辺領域のうちのユーザに同時期に示すべき複数の周辺領域が注目領域として選択され、注目領域として選択された複数の周辺領域それぞれを示す複数の車両周辺画像を、ディスプレイに順次切り替え表示するというものである。したがって、例えば縦列駐車を行う場合には、前方左側領域および後方左側領域が注目領域として選択され、前方左側領域の画像と後方左側領域の画像とを交互にディスプレイに表示される。
【先行技術文献】
【特許文献】
【０００３】
【特許文献１】特開２０１２−２５３２７号公報（要約、段落００７６〜００９５および図１、図８、図９参照）
【発明の概要】
【発明が解決しようとする課題】
【０００４】
しかし、上記した特許文献１に記載のものでは、ディスプレイに選択された注目領域の画像が順次切り換え表示されるため、注目領域が２つの場合には交互に画像表示されるので、比較的見易いが、注目領域が３つや４つ以上になると、切り換え表示される画像が目まぐるしく変わり、ユーザにとって１つ当りの画像の表示時間が短くなって非常に見づらくなるという問題がある。また、１つの表示画面を複数に分割して表示領域を予め定めたレイアウトで配置し、各表示領域に１対１に対応して複数のカメラの撮影画像を表示することも考えられるが、複数の表示領域をユーザの好みに応じたレイアウトに変更することができない上、当該ユーザが一番大きな表示領域に表示して欲しいと思うカメラ画像が、小さい表示領域にしか表示されず、使い勝手が非常に悪いという問題がある。
【０００５】
本発明は、簡単かつ安価な構成により、表示手段の複数の表示領域それぞれに表示すべきカメラの割り付け登録を行う初期登録を行えるようにすることを目的とする。
【課題を解決するための手段】
【０００６】
上記した目的を達成するために、本発明の車両用画像表示装置は、車室内に設置された表示手段の表示画面を分割した複数の表示領域それぞれに、複数の撮影画像を表示する車両用画像表示装置であって、車体の複数個所に配設された電源ケーブルに接続されて車体に取り付けられて周辺を撮影し、撮影した画像信号を無線形式で送信するカメラと、前記各カメラそれぞれに設けられ、予め定められた所定操作によって当該カメラを識別するための無線形式の識別信号を当該カメラから送信させる操作スイッチと、前記各カメラからの前記識別信号および画像信号を受信する受信手段と、前記表示手段、前記カメラおよび前記受信手段を制御する制御手段とを備え、前記制御手段は、前記表示手段の前記各表示領域それぞれに表示すべき前記カメラの割り付け登録を行う初期登録段階において、前記各表示領域それぞれの割り付け順序を予め設定し、前記各カメラの前記操作スイッチの前記所定操作による前記識別信号が前記受信手段により受信されたときに、１番目に割り付けられた前記表示領域から順に、前記受信手段により受信されている前記識別信号の送信元である当該カメラを割り付け登録し、割り付け登録後は、前記受信手段により受信される前記各カメラからの画像信号に基づく画像を、前記各カメラそれぞれに割り付けた前記表示領域に表示させることを特徴としている（請求項１）。
【発明の効果】
【０００７】
請求項１に係る発明によれば、表示手段の各表示領域それぞれに表示すべきカメラの割り付け登録を行う初期登録段階において、制御手段により、各表示領域それぞれの割り付け順序が予め設定され、各カメラに設けられた操作スイッチの所定操作による識別信号が受信手段により受信されたときに、１番目に割り付けられた表示領域から順に、受信手段により受信されている識別信号の送信元である当該カメラが割り付け登録されるため、例えば当該車両の所有者であるユーザが希望する各表示領域のレイアウトをディーラーに伝えることで、ディーラー側で、ユーザの好みに合致した表示領域のレイアウトになるよう、制御手段による上記した初期登録を行うことができ、特別な追加部品を設けたりする必要もなく、簡単かつ安価な構成により、表示手段の複数の表示領域それぞれに表示すべきカメラの割り付け登録を行う初期登録を行うことができる。
【図面の簡単な説明】
【０００８】
【図１】本発明に係る車両用画像表示装置の一実施形態における車両の平面図である。
【図２】図１のカメラの説明図である。
【図３】図１の表示手段の説明図である。
【図４】図１のブロック図である。
【図５】本発明の変形例の説明図である。
【発明を実施するための形態】
【０００９】
本発明の一実施形態について、図１ないし図４を参照して詳細に説明する。
【００１０】
図１に示すように、自車１の前中央部および左右後部にそれぞれ３台のカメラ２ａ，２ｂ，２ｃが取り付けられ、これら各カメラ２ａ，２ｂ，２ｃは、Ｂｌｕｅｔｏｏｔｈ（ブルートゥース：登録商標）や無線ＬＡＮ等の無線形式で画像信号を送信する機能を有しており、各カメラ２ａ，２ｂ，２ｃにより自車の前方、後左方、御右方がそれぞれ撮影されて各々の画像信号が出力される。
【００１１】
このとき、自車１の前中央部および左右後部には、バッテリ＋Ｂに接続された電源ケーブルＫが配索されており、各カメラ２ａ，２ｂ，２ｃはこれら電源ケーブルＫを介してバッテリ＋Ｂに接続される。また、各カメラ２ａ，２ｂ，２ｃには、図２に示すように押しボタン式の操作スイッチ３が設けられており、１．５秒以上操作スイッチ３を長押しするなど、操作スイッチ３を予め定められた所定操作することによって、各カメラ２ａ，２ｂ，２ｃを識別するための無線形式の識別信号が各カメラ２ａ，２ｂ，２ｃから送信されるようになっている。
【００１２】
そして、自車１のインストルメントパネルに配置された表示手段としての液晶ディスプレイ４に、各カメラ２ａ，２ｂ，２ｃにより撮影された画像が表示されるが、ディスプレイ４の表示画面が、例えば図３に示すように、上半分の第１表示領域Ｄ１および下半分を更に２分割した第２、第３表示領域Ｄ２，Ｄ３に３分割され、これら各表示領域Ｄ１〜Ｄ３にどのカメラの画像を表示するかを割り付け登録する初期登録が、車両所有者の好みに合ったレイアウトになるように行われる。
【００１３】
この初期登録を行うために、図４のブロック図に示すような画像表示装置が設けられている。すなわち、画像表示装置は、図４に示すように、各カメラ２ａ，２ｂ，２ｃからの無線による識別信号および画像信号を受信する受信手段７と、ディスプレイ４および受信手段７を制御するマイクロコンピュータ構成の制御手段８とを備えている。
【００１４】
そして、制御手段８は、ディスプレイ４の各表示領域Ｄ１〜Ｄ３それぞれに表示すべきカメラの割り付け登録を行う初期登録段階において、各表示領域Ｄ１〜Ｄ３それぞれの割り付け順序を予め設定し、例えば第１表示領域Ｄ１から順番に割り付けるように設定し、各カメラ２ａ，２ｂ，２ｃの操作スイッチ３長押し等の所定操作により、各カメ２ａ，２ｂ，２ｃから出力される無線の識別信号が受信手段７により受信されたときに、１番目に割り付けられた第１表示領域Ｄ１から順に、受信手段７により受信されている識別信号の送信元である当該カメラ（例えば、左後部のカメラ２ｂ）を割り付け登録し、初期登録が完了する。
【００１５】
なお、この初期登録作業は、ユーザが自由に行うことはできず、ディーラーで行われるようになっており、当該車両の所有者であるユーザが希望する各表示領域Ｄ１〜Ｄ３のレイアウトをディーラーに伝えておき、ディーラーにおいて、各表示領域Ｄ１〜Ｄ３がユーザの希望に合致したレイアウトになるように、上記した手順で初期登録作業が行われる。
【００１６】
さらに、制御手段８は、上記した割り付け登録後は、受信手段７により受信される各カメラ２ａ，２ｂ，２ｃからの画像信号に基づく画像を、各カメラ２ａ，２ｂ，２ｃそれぞれに割り付けた表示領域に表示させるようにディスプレイ４を制御する。
【００１７】
したがって、上記した実施形態によれば、ディスプレイ４の各表示領域Ｄ１〜Ｄ３それぞれに表示すべきカメラの割り付け登録を行う初期登録段階において、制御手段８により、各表示領域Ｄ１〜Ｄ３それぞれの割り付け順序が予め設定され、各カメラ２ａ，２，２ｃに設けられた操作スイッチ３の長押し等の所定操作による無線の識別信号が受信手段７により受信されたときに、１番目に割り付けられた第１表示領域Ｄ１から順に、受信手段７により受信されている識別信号の送信元である当該カメラが割り付け登録される。
【００１８】
そのため、例えば当該車両の所有者であるユーザが希望する各表示領域Ｄ１〜Ｄ３のレイアウトをディーラーに伝えておくことで、ディーラーにおいて、各表示領域Ｄ１〜Ｄ３に表示される画像レイアウトがユーザの好みに合致したものになるように、制御手段８により初期登録を行うことができ、特別な追加部品を設けたりする必要もなく、ディスプレイ４の各表示領域Ｄ１〜Ｄ３それぞれに表示すべきカメラの割り付け登録を行う初期登録を、簡単かつ安価な構成により行うことができる。
【００１９】
なお、本発明は上記した実施形態に限定されるものではなく、その趣旨を逸脱しない限りにおいて上述したもの以外に種々の変更を行なうことが可能である。
【００２０】
例えば、車体に取り付けられるカメラが４台で、ディスプレイ４が図５に示すように４つの表示領域Ｄ１〜Ｄ４に等分割されている場合であっても、上記した実施形態と同様にして、表示領域に対する初期登録を行うことができる。また、カメラが５台以上であっても、本発明を同様に実施することができる。
【符号の説明】
【００２１】
１    …自車
２ａ，２ｂ，２ｃ３  …カメラ
３    …操作スイッチ
４    …液晶ディスプレイ（表示手段）
７    …受信手段
８    …制御手段
【図１】
2016072840.tif 000003
【図２】
2016072840.tif 000004
【図３】
2016072840.tif 000005
【図４】
2016072840.tif 000006
【図５】
2016072840.tif 000007